(57)【要約】【課題】先に接続完了した端末に対して相手端末と同じ画像符号化方式の固定パターンデータを送信することで、正常に画像データを送信する。【解決手段】制御部１１は各プロトコルの制御と画像符号変換制御を行う。制御プロトコル部１２はＨ．２４２とＨ．２４５のプロトコル処理を行う。多重分離プロトコル部１３は制御プロトコルのデータと画像データを多重して端末２および端末３に送信する、あるいは画像データを受信し制御プロトコルのデータと画像データに分離する。画像符号変換部１４は画像データの符号化方式の変換を行う。固定パターン格納部１５は端末２に適合したＨ．２６１の画像符号化方式の固定パターンデータを格納する。固定パターン格納部１６は端末３に適合したＭＰＥＧ４の画像符号化方式の固定パターンデータを格納する。【選択図】　　　図１
2004048261.tif 000002
【特許請求の範囲】
【請求項１】
相手端末と同じ画像符号化方式の固定パターンデータとして、第１の端末に対してはＨ．２６１の画像符号化方式に従った固定パターンデータを、第２の端末にはＭＰＥＧ（Ｍｏｖｉｎｇ　Ｐｉｃｔｕｒｅ　Ｅｘｐｅｒｔｓ　Ｇｒｏｕｐ）の画像符号化方式に従った固定パターンデータを各々保存し、先に接続完了した端末に対してこの端末に対応する固定パターンデータを送信することで、先に接続した端末に対して正常な画像データを送信することを特徴とする画像通信システム。
【請求項２】
画像符号変換装置と、これに接続する第１の映像符号化方式の端末及び第２の映像符号化方式の端末とであって、
前記画像符号変換装置は、
プロトコルの制御と画像符号変換制御を行う制御部と；
複数のプロトコル処理を行う制御プロトコル部と；
制御プロトコルデータと画像データを多重して前記第１の映像符号化方式の端末及び前記第２の映像符号化方式の端末に送信し、前記第１の映像符号化方式の端末及び前記第２の映像符号化方式の端末から画像データを受信し、前記制御プロトコルデータと前記画像データに分離する多重分離プロトコル部と；
前記画像データの符号化方式の変換を行う画像符号変換部と；
前記第１の映像符号化方式の端末に適合した映像符号化方式の固定パターンデータを格納する第１の固定パターン格納部と；
前記第２の映像符号化方式の端末に適合した映像符号化方式の固定パターンデータを格納する第２の固定パターン格納部と；
を有していることを特徴とする画像通信システム。
【請求項３】
前記第１の映像符号化方式の端末がＨ．２６１方式の端末であり、前記第２の映像符号化方式の端末がＭＰＥＧ（Ｍｏｖｉｎｇ　Ｐｉｃｔｕｒｅ　Ｅｘｐｅｒｔｓ　Ｇｒｏｕｐ）方式の端末であることを特徴とする請求項２記載の画像通信システム。
【請求項４】
前記制御プロトコル部が行う複数のプロトコル処理が、
Ｈ．２４２とＨ．２４５のプロトコル処理であることを特徴とする請求項２又は請求項３記載の画像通信システム。
【請求項５】
前記制御部は、
接続処理の開始、切断処理の開始を判断し、同時に前記接続処理に合わせて前記制御プロトコル部、前記多重分離プロトコル部及び前記画像符号変換部に動作指示を行うことを特徴とする請求項２記載の画像通信システム。
【請求項６】
前記制御プロトコル部は、
前記第１及び第２の映像符号化方式の端末との接続、切断の手順をそれぞれの制御プロトコルの規格に従い処理し、接続、切断の完了を前記制御部に通知することを特徴とする請求項２又は請求項５記載の画像通信システム。
【請求項７】
前記多重分離プロトコル部は、
前記画像データと前記制御データとを多重し、前記第１及び第２の映像符号化方式の端末に送信し、受信したデータを前記画像データと前記制御プロトコルデータとに分離し、各々のデータを前記画像符号変換部と前記制御プロトコル部に送出することを特徴とする請求項２、５又は６記載の画像通信システム。
【請求項８】
前記画像符号変換部は、
画像データを前記多重分離プロトコル部で分離された前記第１及び第２の映像符号化方式の端末の符号化方式に各々変換し、前記第１の映像符号化方式の端末に対してはＨ．２６１からＭＰＥＧ変換を、前記第２の映像符号化方式の端末に対してはＭＰＥＧからＨ．２６１変換を行い、これら符号変換したデータは前記多重分離プロトコル部に送出されることを特徴とする請求項２、５、６又は７記載の画像通信システム。
【請求項９】
前記第１の固定パターン格納部は、
前記第１の映像符号化方式の端末の持つＨ．２６１符号化方式に従った画像データの固定パターンデータを有し、前記多重分離プロトコル部に前記固定パターンデータを送出することを特徴とする請求項２、５、６、７又は８記載の画像通信システム。
【請求項１０】
前記第２の固定パターン格納部は、
前記第２の映像符号化方式の端末の持つＭＰＥＧ符号化方式に従った画像データの固定パターンデータを有し、前記多重分離プロトコル部に前記固定パターンデータを送出することを特徴とする請求項２、５、６、７、８又は９記載の画像通信システム。
【請求項１１】
前記画像符号変換装置が、
異なる画像符号化方式を持つ端末間で画像データを変換する際に、接続時のシーケンスは、異なるプロトコルにより前記第１の映像符号化方式の端末と前記画像符号変換装置間並びに前記第２の映像符号化方式の端末と前記画像符号変換装置間でそれぞれ独立に行われることを特徴とする請求項２記載の画像通信システム。
【請求項１２】
請求項１〜１１のいずれか１項に記載の画像通信システムを、テレビ局放送網に適用したことを特徴とする放送システム。
【発明の詳細な説明】
【０００１】
【発明の属する技術分野】
本発明は画像通信システムに関し、特に異なる画像符号化方式を持つ端末間で画像データを変換する画像通信システムに関する。
【０００２】
【従来の技術】
一般に、異なる画像符号化方式を持つ端末−端末間で符号化された画像データを変換する場合に、画像符号変換装置を使用する。
【０００３】
例えば、端末Ａは画像符号化方式Ｈ．２６１を持ち、端末Ｂは画像符号化方式ＭＰＥＧ４を持つ場合、２つの端末を接続するためには画像符号変換装置が必要となる。画像符号変換装置は、端末Ａまたは端末Ｂからみると、それぞれ同じ多重分離プロトコル、制御プロトコル、画像符号化方式を持つ一つの端末である。
【０００４】
そのため、端末Ａ−画像変換装置、端末Ｂ−画像変換装置の各々が独立で接続手順を行うことになる。接続後に端末ＡからのＨ．２６１で符号化した画像データをＭＰＥＧ４の符号化方式に変換し端末Ｂへ送信する。同様に端末ＢからのＭＰＥＧ４で符号化した画像データをＨ．２６１の符号化方式に変換し端末Ａに送信する。
【０００５】
通常、画像データは制御プロトコルのデータと一緒に多重分離プロトコルによって多重して送信する。
【０００６】
接続開始から接続後の通信状態となる間に、画像符号変換装置では接続を両端末側でそれぞれ行うため、接続タイミングが異なる場合がある。特に制御プロトコルが異なると接続タイミングの差は顕著となる。
【０００７】
一般には、画像符号変換装置において接続タイミングが異なると次のような問題点がある。
【０００８】
先に接続した端末に対して画像符号変換装置から送信する画像データが無いため、端末側では不正な符号化データとして認識してしまう。端末の設計に依るが、端末は不正な画像データを連続で受信すると正常な通信ができていないと判断し切断手順を行うので、音声だけの通信に移行するような動作が行われる。このため両端末の接続手順が完了するまで、先に接続した端末に対して画像符号変換装置から正常な画像データを送信できない状態が生じる。
【０００９】
使用する多重分離プロトコルの規格によっては、画像データを送信するための領域が固定で割り付けられている場合があり、画像データが無い状態で送信すると端末側では不正な符号化データとして認識してしまうからである。
【００１０】
例えば、端末Ａ側で多重分離プロトコルであるＨ．２２１が使用されている場合、画像データを送信するための領域は固定で割り付けられているため、このような問題が発生することになる。
【００１１】
このような技術の一例として、特開平６−１２５５３９号公報記載の「画像符号化装置」や特開２０００−７８５５８号公報記載の「映像情報配信システム、映像情報配信方法及び記録媒体」が知られている。
【００１２】
この「画像符号化装置」の公報では、Ｈ．２６１方式、ＪＰＥＧ方式と云う２つの異なる符号化モードを、同一の符号化装置でプログラムの入れ替える技術が記載されている。
【００１３】
また、「映像情報配信システム、映像情報配信方法及び記録媒体」の公報では、特性の異なる２つのネットワークをまたがる映像情報配信システムとして、配送サーバの中に画像フォーマット１で送信された画像を一旦伸長し、さらにその画像を画像フォーマット２で圧縮する技術が記載されている。
【００１４】
【発明が解決しようとする課題】
上述した従来の画像通信システムは、先に接続した端末に対して画像符号変換装置から送信する画像データが無いので、両端末の接続手順が完了するまで先に接続した端末に対して画像符号変換装置から正常な画像データを送信できないという欠点を有している。
【００１５】
また、使用する多重分離プロトコルの規格によっては、画像データを送信するための領域が固定で割り付けられている場合があり、画像データが無い状態で送信すると端末側では不正な画像データとして認識してしまうので、正常な通信ができていないと判断し通信を切断するという欠点を有している。
【００１６】
さらにまた、通信中のプログラムの入れ替えは送信の中断や受信データの破棄の可能性があり、画像の伸長・圧縮処理は複雑になるという欠点を有している。
【００１７】
本発明の目的は、先に接続完了した端末に対して相手端末と同じ画像符号化方式の固定パターンデータを送信することで、正常に画像データを送信する画像通信システムを提供することにある。
【００１８】
【課題を解決するための手段】
本発明の第１の画像通信システムは、
相手端末と同じ画像符号化方式の固定パターンデータとして、第１の端末に対してはＨ．２６１の画像符号化方式に従った固定パターンデータを、第２の端末にはＭＰＥＧ（Ｍｏｖｉｎｇ　Ｐｉｃｔｕｒｅ　Ｅｘｐｅｒｔｓ　Ｇｒｏｕｐ）の画像符号化方式に従った固定パターンデータを各々保存し、先に接続完了した端末に対してこの端末に対応する固定パターンデータを送信することで、先に接続した端末に対して正常な画像データを送信することを特徴としている。
【００１９】
本発明の第２の画像通信システムは、
画像符号変換装置と、これに接続する第１の映像符号化方式の端末及び第２の映像符号化方式の端末とであって、
前記画像符号変換装置は、
プロトコルの制御と画像符号変換制御を行う制御部と；
複数のプロトコル処理を行う制御プロトコル部と；
制御プロトコルデータと画像データを多重して前記第１の映像符号化方式の端末及び前記第２の映像符号化方式の端末に送信し、前記第１の映像符号化方式の端末及び前記第２の映像符号化方式の端末から画像データを受信し、前記制御プロトコルデータと前記画像データに分離する多重分離プロトコル部と；
前記画像データの符号化方式の変換を行う画像符号変換部と；
前記第１の映像符号化方式の端末に適合した映像符号化方式の固定パターンデータを格納する第１の固定パターン格納部と；
前記第２の映像符号化方式の端末に適合した映像符号化方式の固定パターンデータを格納する第２の固定パターン格納部と；
を有していることを特徴としている。
【００２０】
本発明の第３の画像通信システムは、前記第２の画像通信システムにおいて、前記第１の映像符号化方式の端末がＨ．２６１方式の端末であり、前記第２の映像符号化方式の端末がＭＰＥＧ（Ｍｏｖｉｎｇ　Ｐｉｃｔｕｒｅ　Ｅｘｐｅｒｔｓ　Ｇｒｏｕｐ）方式の端末であることを特徴としている。
【００２１】
本発明の第４の画像通信システムは、前記第２または第３の画像通信システムにおいて、
前記制御プロトコル部が行う複数のプロトコル処理が、
Ｈ．２４２とＨ．２４５のプロトコル処理であることを特徴としている。
【００２２】
本発明の第５の画像通信システムは、前記第２の画像通信システムにおいて、
前記制御部は、
接続処理の開始、切断処理の開始を判断し、同時に前記接続処理に合わせて前記制御プロトコル部、前記多重分離プロトコル部及び前記画像符号変換部に動作指示を行うことを特徴としている。
【００２３】
本発明の第６の画像通信システムは、前記第２または第５の画像通信システムにおいて、
前記制御プロトコル部は、
前記第１及び第２の映像符号化方式の端末との接続、切断の手順をそれぞれの制御プロトコルの規格に従い処理し、接続、切断の完了を前記制御部に通知することを特徴としている。
【００２４】
本発明の第７の画像通信システムは、前記第２、第５または第６の画像通信システムにおいて、
前記多重分離プロトコル部は、
前記画像データと前記制御データとを多重し、前記第１及び第２の映像符号化方式の端末に送信し、受信したデータを前記画像データと前記制御プロトコルデータとに分離し、各々のデータを前記画像符号変換部と前記制御プロトコル部に送出することを特徴としている。
【００２５】
本発明の第８の画像通信システムは、前記第２、５、６又は第７の画像通信システムにおいて、
前記画像符号変換部は、
画像データを前記多重分離プロトコル部で分離された前記第１及び第２の映像符号化方式の端末の符号化方式に各々変換し、前記第１の映像符号化方式の端末に対してはＨ．２６１からＭＰＥＧ変換を、前記第２の映像符号化方式の端末に対してはＭＰＥＧからＨ．２６１変換を行い、これら符号変換したデータは前記多重分離プロトコル部に送出されることを特徴としている。
【００２６】
本発明の第９の画像通信システムは、前記第２、５、６、７又は第８の画像通信システムにおいて、
前記第１の固定パターン格納部は、
前記第１の映像符号化方式の端末の持つＨ．２６１符号化方式に従った画像データの固定パターンデータを有し、前記多重分離プロトコル部に前記固定パターンデータを送出することを特徴としている。
【００２７】
本発明の第１０の画像通信システムは、前記第２、５、６、７、８又は第９の画像通信システムにおいて、
前記第２の固定パターン格納部は、
前記第２の映像符号化方式の端末の持つＭＰＥＧ符号化方式に従った画像データの固定パターンデータを有し、前記多重分離プロトコル部に前記固定パターンデータを送出することを特徴としている。
【００２８】
本発明の第１１の画像通信システムは、前記第２の画像通信システムにおいて、
前記画像符号変換装置が、
異なる画像符号化方式を持つ端末間で画像データを変換する際に、接続時のシーケンスは、異なるプロトコルにより前記第１の映像符号化方式の端末と前記画像符号変換装置間並びに前記第２の映像符号化方式の端末と前記画像符号変換装置間でそれぞれ独立に行われることを特徴としている。
【００２９】
本発明の第１２の画像通信システムは、前記第１〜１１の画像通信システムにおいて、
画像通信システムをテレビ局放送網に適用したことを特徴としている。
【００３０】
【発明の実施の形態】
次に、本発明の実施の形態について図面を参照して説明する。
【００３１】
図１は本発明の画像通信システムの一つの実施の形態を示すブロック図である。
【００３２】
図１に示す本実施の形態は、画像符号変換装置１と、これに接続するＨ．２６１方式の端末２と、ＭＰＥＧ４方式の端末３とから構成される。
【００３３】
なお、画像符号変換装置１は、各プロトコルの制御と画像符号変換制御を行う制御部１１と、Ｈ．２４２とＨ．２４５のプロトコル処理を行う制御プロトコル部１２と、制御プロトコルのデータと画像データを多重して端末２および端末３に送信する、あるいは端末２および端末３からの画像データを受信し制御プロトコルのデータと画像データに分離する多重分離プロトコル部１３と、画像データの符号化方式の変換を行う画像符号変換部１４と、端末２に適合したＨ．２６１の画像符号化方式の固定パターンデータを格納する固定パターン格納部１５と、端末３に適合したＭＰＥＧ４の画像符号化方式の固定パターンデータを格納する固定パターン格納部１６とを有している。
【００３４】
なお、映像符号化の国際標準方式は代表的なものとして、ＭＰＥＧ（Ｍｏｖｉｎｇ　Ｐｉｃｔｕｒｅ　Ｅｘｐｅｒｔｓ　Ｇｒｏｕｐ）１，２が規格化されており、ＭＰＥＧ２に続く映像符号化方式の国際標準としてはＭＰＥＧ４が規格化されている。
【００３５】
次に動作を説明する。
【００３６】
制御部１１は、接続処理の開始、切断処理の開始を判断し実行する。同時に制御部１１の処理に合わせて制御プロトコル部１２、多重分離プロトコル部１３、画像符号変換部１４に動作指示を行う。
【００３７】
制御プロトコル部１２は、端末２，３との接続、切断の手順をそれぞれの制御プロトコルの規格（図１では、ＩＴＵ−Ｔ勧告Ｈ．２４２，Ｈ．２４５を例として採用している）に従い処理し、接続、切断の完了を制御部１１に通知する。
【００３８】
多重分離プロトコル部１３は、画像データと制御プロトコルデータを多重し、相手の端末２、端末３に送信する。また、受信したデータを画像データと制御プロトコルデータに分離し、各々のデータを画像符号変換部１４と制御プロトコル部１２に送出する。多重分離の処理は多重分離プロトコルの規格に従う（図１では、ＩＴＵ−Ｔ勧告Ｈ．２２１，Ｈ．２２３を例として採用している）。
【００３９】
画像符号変換部１４は、多重分離プロトコル部１３で分離された相手の端末２および端末３の画像データの符号化方式に変換する。端末２に対してはＨ．２６１→ＭＰＥＧ４変換を、端末３に対してはＭＰＥＧ４→Ｈ．２６１変換を行うことになる。これら符号変換したデータは多重分離プロトコル部１３に送出される。
【００４０】
固定パターン格納部１５は、端末２の持つＨ．２６１符号化方式に従った画像データの固定パターンを持ち、多重分離プロトコル部１３にデータを送出する。
【００４１】
固定パターン格納部１６は、端末３の持つＭＰＥＧ４符号化方式に従った画像データの固定パターンを持ち、多重分離プロトコル部１３にデータを送出する。
【００４２】
画像符号変換装置１において最上位機能は制御部１１になる。そのため、制御プロトコル部１２は制御部１１からの指示で動作しその結果を制御部１１に通知する。端末２接続通知、端末３接続通知は、制御プロトコル部１２から制御部１１へのイベントとなる。
【００４３】
画像符号変換装置１は、最終的には異なるプロトコルの端末２と端末３とを通信させるのが目的であるが、プロトコルが異なるために接続時のシーケンスは端末２−画像符号変換装置１間、端末３−画像符号変換装置１間でそれぞれ独立に行われる。
【００４４】
この接続のシーケンスを制御するのが制御プロトコル部１２であり、端末２、端末３と同じプロトコルの機能をそれぞれ搭載している。
【００４５】
図２は図１の制御部の通信状態遷移を示す図である。
【００４６】
図２の状態遷移表は、その上位の制御部１１について示したものである。
【００４７】
まず、状態遷移表の各イベントについて簡単に説明すると、「接続開始指示」とは、画像符号変換装置１を制御する他の装置からの指示を示している。他の装置とは、例えば呼（ｃａｌｌ）を管理している装置で、端末２が発信し、端末３が着信側となる場合やその反対の場合である。このような呼に関する制御は画像符号変換装置１では行わない。
【００４８】
「接続開始指示」により、端末２と端末３に対してそれぞれ接続シーケンスを流す。この段階では、端末２−画像符号変換装置１、端末３−画像変換装置１の間はともに接続シーケンスが流れている状態で、どちらも接続状態とは云えずＩＤＬＥ状態として接続中になる。
【００４９】
「端末２接続通知」は、端末２−画像符号変換装置１間で接続シーケンスが完了し通信可能となった状態で、その結果を制御プロトコル部１２が制御部１１に通知するイベントであり、制御部１１では端末２−画像符号変換装置１が接続状態になったというイベントとして通信中を認識する。
【００５０】
このとき、端末３−画像符号変換装置１がすでに接続完了状態（端末３接続通知を制御部１１に通知している状態）であれば、端末２と端末３は画像符号変換装置１を介して通信可能な状態にある。
【００５１】
しかし、端末３−画像符号変換装置１がまだ接続待ち状態の接続中（端末３接続通知を制御部１１に通知していない状態）では、端末２−画像符号変換装置１が接続状態になっても端末３側が接続されていないので、端末２−端末３間で通信はできない。この場合、端末３は接続待ち状態の接続中である。
【００５２】
接続中とは接続シーケンスが流れている状態で、接続するための動作をしている状態を意味し、実質は「接続待ち」の状態を示す。
【００５３】
この時点で、端末２側に対して画像データとして固定パターンを送出することにより、端末２側の画像のプロトコルに通信相手である端末３が正常に動いていると認識させるところが特徴である。つまり端末３側が接続完了し、制御部１１に端末３接続通知を通知するまでの間、ダミーの固定パターンを選出し送出する動作が特徴的なプロセスとなる。
【００５４】
端末３接続通知についても、端末２と端末３を読み替えることで上述と同じ動作となるので、ここでは説明を省略する。
【００５５】
つまり、接続中というのは、端末２−画像符号変換装置１間、端末３−画像符号変換装置３間ともに制御プロトコルによる接続シーケンスが流れている状態であるが、両方とも接続が完了していない状態を示す。
【００５６】
端末２接続中というのは端末２−画像符号変換装置１が接続されていない状態で、端末３接続中というのはその逆で端末３−画像符号変換装置１が接続されていない状態を示す。
【００５７】
図３は画像通信システムの端末２の接続動作を示すフローチャートである。
【００５８】
図４は画像通信システムの端末３の接続動作を示すフローチャートである。
【００５９】
次に、図１、図２、図３および図４を参照して本実施の形態の動作をより詳細に説明する。
【００６０】
まず、画像符号変換装置１の制御部１１より制御プロトコル部１２に接続指示が出力されると、制御プロトコル部１２は端末２および端末３に対してそれぞれの接続手順を実行する。端末２との接続が完了すると、制御プロトコル部１２は制御部１１に対して端末２の接続通知を行う。
【００６１】
制御部１１は図３に示すフローチャートの処理を開始する。
【００６２】
まず、制御部１１が管理している通信状態の判定を行う（ステップＡ１）。
【００６３】
通信状態が端末２に接続中である場合は、通信状態を端末３接続中に変更する（ステップＡ２）。次に、多重分離プロトコル部１３に固定パターン送信指示を行う（ステップＡ３）。
【００６４】
多重分離プロトコル部１３は、制御部１１の固定パターン送信指示により、固定パターン格納部１５に格納されている固定パターンの符号化された画像データを制御プロトコルデータと共に多重し、端末２に送信を開始する。通信状態が端末２接続完了である場合は、通信状態を通信中に変更する（ステップＡ４）。
【００６５】
次に、多重分離プロトコル部１３に、画像符号変換データ送信指示を行う（ステップＡ５）。多重分離プロトコル部１３は、制御部１１の画像符号変換データ送信指示により、画像符号変換部１４で符号変換されたデータを制御プロトコルデータと共に多重し、端末２に送信を開始する。
【００６６】
端末２との接続が完了すると、同様に、制御プロトコル部１２は制御部１１に対して端末３接続通知を行う。
【００６７】
制御部１１は図４に示すフローチャートの処理を開始する。
【００６８】
まず、制御部１１が管理している通信状態の判定を行う（ステップＢ１）。
【００６９】
通信状態が端末３と接続中である場合は、通信状態を端末２接続中に変更する（ステップＢ２）。次に、多重分離プロトコル部１３に固定パターン送信指示を行う（ステップＢ３）。
【００７０】
多重分離プロトコル部１３は、制御部１１の固定パターン送信指示により、固定パターン格納部１６に格納されている固定パターンの符号化された画像データを制御プロトコルデータと共に多重し、端末３に送信を開始する。
【００７１】
通信状態が端末３に対して接続完了である場合は、通信状態を通信中に変更する（ステップＢ４）。次に、多重分離プロトコル部１３に、画像符号変換データ送信指示を行う（ステップＢ５）。多重分離プロトコル部１３は、制御部１１の画像符号変換データ送信指示により、画像符号変換部１４で符号変換されたデータを制御プロトコルデータと共に多重し、端末３に送信を開始する。
【００７２】
次に、端末２が先に接続する場合の画像データの流れについて説明する。
【００７３】
制御部１１は制御プロトコル部１２に接続指示を出す。制御プロトコル部１２は、端末２との接続をＨ．２４２プロトコルに従い実行する。同時に端末３との接続をＨ．２４５プロトコルに従い実行する。
【００７４】
まず、端末２との接続が完了すると制御プロトコル部１２は、制御部１１に端末２の接続通知を行う。
【００７５】
制御部１１は図３の制御部フローチャートに従い動作する。通信状態を判断し（ステップＡ１）、接続中であるので通信状態を端末３接続中に変更する（ステップＡ２）。
【００７６】
次に、多重分離プロトコル部１３に固定パターン送信指示を行う（ステップＡ３）。多重分離プロトコル部１３は、制御部１１の固定パターン送信指示により、固定パターン格納部１５に格納されている固定パターンの符号化された画像データを、制御プロトコルデータと共に多重し端末２に送信を開始する。このときの画像データの流れを図５に示す。
【００７７】
図５は端末３接続中の画像データの流れを示す図である。
【００７８】
なお、図５において図１に示す構成要素に対応するものは同一の参照数字または符号を付し、その説明を省略する。
【００７９】
端末２に送信する画像データは、Ｈ．２６１符号化方式で符号化した固定パターン格納部１５のデータである。端末２から受信したデータは、多重分離プロトコル部１３から画像符号変換部１４にデータが転送される。画像符号変換部１４は、画像データの符号化方式をＨ．２６１からＭＰＥＧ４に変換し、端末３側の画像データとして多重分離プロトコル部１３に渡す。しかし、端末３側は接続中（接続待ち状態）であるので、変換した画像データは多重しない。
【００８０】
端末３の接続が完了すると制御プロトコル部１２は、制御部１１に端末３接続通知を行う。
【００８１】
次に、制御部１１は図４の制御部フローチャートに従い動作する。
【００８２】
通信状態を判断し（ステップＢ１）、端末３に接続完了であるので通信状態を通信中に変更する（ステップＢ４）。次に、多重分離プロトコル部１３に画像符号変換データ送信指示を行う（ステップＢ５）。多重分離プロトコル部１３は、制御部１１の画像符号変換データ送信指示により、固定パターン格納部１６の画像データの多重を終了し、その代わりに画像符号変換部１４でＭＰＥＧ４からＨ．２６１に変換された画像データの多重を行う。
【００８３】
このときの画像データの流れを図６に示す。
【００８４】
図６は通信中の画像データの流れを示す図である。
【００８５】
なお、図６において図１に示す構成要素に対応するものは同一の参照数字または符号を付し、その説明を省略する。
【００８６】
図６で示す画像データの流れが画像符号変換装置１としての正常な通信状態である。図５及び図６について簡単に説明すると、図５は図２の状態遷移での端末３接続完了待ちで、端末３側がまだ接続されていない状態を示している。状態遷移としては、「ＩＤＬＥ」→「接続中」→「端末３接続完了待ち」→「通信中」となる。「端末３接続完了待ち」の状態を図５で示し、通信中の状態を図６で示している。
【００８７】
状態遷移は２つのパターンが考えられ、以下に示す。
【００８８】
▲１▼端末２が先に接続完了する場合で、例ではＨ．２６１の固定パターン送出時に、
「ＩＤＬＥ」→「接続中」→「端末３接続完了待ち」→「通信中」（図５で示したパターン）となる。
【００８９】
▲２▼端末３が先に接続完了する場合で、例ではＭＰＥＧ４の固定パターン送出時に、
「ＩＤＬＥ」→「接続中」→「端末２接続完了待ち」→「通信中」　となる。
【００９０】
Ｈ．２６１、ＭＰＥＧ４は画像のプロトコルで、ＩＴＵ−Ｔ等の規格で様々なパターンが考えられている。制御プロトコル、多重分離プロトコルも同様にいろいろパターンがあるが、組み合わせに制限がある。
【００９１】
上述の通り本発明は、画像符号変換装置１において、先に接続完了した端末に正常な画像データを送信できるものである。
【００９２】
固定パターン格納部に、それぞれの相手端末と同じ画像符号化方式の固定パターンデータを保存し（端末Ａに対してはＨ．２６１、端末ＢにはＭＰＥＧ４の画像符号化方式に従った固定パターンデータを保存する）、先に接続完了した端末に対してこの固定パターンデータを送信することで、先に接続した端末に正常な画像データを送信することを可能とする。
【００９３】
【発明の効果】
以上説明したように、本発明の画像通信システムは、画像符号変換装置と端末の接続待ち時に、２つの端末の画像符号変換装置との接続タイミングが異なった場合、先に接続した端末に対してもう一方の端末が接続できるまでの間、格納部の固定パターンデータを送信することができるので、接続完了時に正常に符号化された画像データを送信できるという効果を有している。
【００９４】
また、多重分離プロトコルの種類により画像データの領域が固定的に存在する場合（例えばＨ．２２１プロトコル）、画像符号変換装置は送信するデータが無いと空の状態で送信し、そのデータを受信する端末では不正な画像データと認識してしまうが、画像データ領域を空で送信することは無いので端末に接続できるという効果を有している。
【００９５】
さらにまた、多重分離プロトコルの種類により画像データの領域が固定的に存在しない場合（例えばＨ．２２３プロトコル）、画像符号変換装置は送信する画像データが無いと制御プロトコルのデータのみ多重して送信するため、端末では分離処理をしても画像データは存在しないが、常に端末の持つ符号化方式に合わせた画像データを送信できるので端末に接続できるという効果を有している。
【図面の簡単な説明】
【図１】本発明の画像通信システムの一つの実施の形態を示すブロック図である。
【図２】図１の制御部の通信状態遷移を示す図である。
【図３】画像通信システムの端末２の接続動作を示すフローチャートである。
【図４】画像通信システムの端末３の接続動作を示すフローチャートである。
【図５】端末３接続中の画像データの流れを示す図である。
【図６】通信中の画像データの流れを示す図である。
【符号の説明】
１　　画像符号変換装置
２　　端末
３　　端末
１１　　制御部
１２　　制御プロトコル部
１３　　多重分離プロトコル部
１４　　画像符号変換部
１５　　固定パターン格納部
１６　　固定パターン格納部
【図１】
2004048261.tif 000003
【図２】
2004048261.tif 000004
【図３】
2004048261.tif 000005
【図４】
2004048261.tif 000006
【図５】
2004048261.tif 000007
【図６】
2004048261.tif 000008